(57)【要約】【課題】左右一対のマッサージ部材によって足を左右両側から抱持して良好にマッサージすることができるマッサージ機を提供する。【解決手段】左右方向で対向配置された一対のマッサージ部材３４を近接離反させることにより、該左右マッサージ部材３４間で足２を左右両側から押圧してマッサージするようにしたマッサージ機１であって、左右各マッサージ部材３４は、足２の側部の踝から前側を押圧する前側押圧部３８と、足２の側部の踝から後側を押圧する後側押圧部３９とを備えており、これら前側押圧部３８と後側押圧部３９とを踝の下側で接続する。【選択図】図１ 
2005074163.tif 000002
【特許請求の範囲】
【請求項１】
左右方向で対向配置された一対のマッサージ部材（３４）を近接離反させることにより、該左右マッサージ部材（３４）間で足（２）を左右両側から押圧してマッサージするようにしたマッサージ機であって、
左右各マッサージ部材（３４）は、足（２）の側部の踝から前側を押圧する前側押圧部（３８）と、足（２）の側部の踝から後側を押圧する後側押圧部（３９）とを備えており、これら前側押圧部（３８）と後側押圧部（３９）とは、踝の下側で接続されていることを特徴とするマッサージ機。
【請求項２】
左右の各マッサージ部材（３４）は可撓性を有すると共に、前側押圧部（３８）が、左右のマッサージ部材（３４）を近接離反させる駆動装置（４）に支持されていることを特徴とする請求項１に記載のマッサージ機。
【請求項３】
左右各マッサージ部材（３４）の前側押圧部（３８）は、左右方向対向側に膨出する前後の膨出部（４６，４７）をその上部側に有することを特徴とする請求項１又は２に記載のマッサージ機。
【請求項４】
左右各マッサージ部材（３４）の後側押圧部（３９）は、左右方向対向側に膨出する上下の膨出部（４８，４９）を有することを特徴とするマッサージ機。
【発明の詳細な説明】
【技術分野】
【０００１】
本発明は、主として、足（足首から先の部分（下の部分）をさす、以下同様）を良好にマッサージするマッサージ機に関するものである。
【背景技術】
【０００２】
従来、マッサージ機として、左右一対のマッサージ部材を近接離反させることにより、該左右マッサージ部材間で下肢を左右両側から押圧してマッサージするようにしたものがある（特許文献１参照）。
【特許文献１】特許第３３３９８４９号公報
【発明の開示】
【発明が解決しようとする課題】
【０００３】
前記従来のマッサージ機にあっては、左右の各マッサージ部材は平板状に形成されており、このマッサージ機を足をマッサージするのに使用すると、足には側方に突出する踝があるので、踝を強く押圧してしまい、足のその他の部分を良好に押圧することができないという問題がある。
そこで、本発明は、前記問題点に鑑みて、左右一対のマッサージ部材によって足を左右両側から抱持して良好にマッサージすることができるマッサージ機を提供することを目的とする。
【課題を解決するための手段】
【０００４】
本発明が前記目的を達成するために講じた技術的手段は、左右方向で対向配置された一対のマッサージ部材を近接離反させることにより、該左右マッサージ部材間で足を左右両側から押圧してマッサージするようにしたマッサージ機であって、
左右各マッサージ部材は、足の側部の踝から前側を押圧する前側押圧部と、足の側部の踝から後側を押圧する後側押圧部とを備えており、これら前側押圧部と後側押圧部とは、踝の下側で接続されていることを特徴とする。
また、左右の各マッサージ部材は可撓性を有すると共に、前側押圧部が、左右のマッサージ部材を近接離反させる駆動装置に支持されているのがよい。
【０００５】
また、左右各マッサージ部材の前側押圧部は、左右方向対向側に膨出する前後の膨出部をその上部側に有するのがよい。
また、左右各マッサージ部材の後側押圧部は、左右方向対向側に膨出する上下の膨出部を有するのがよい。
【発明の効果】
【０００６】
本発明によれば、足を左右一対のマッサージ部材によって左右両側から抱持して良好にマッサージすることができるマッサージ機を提供することができる。
【発明を実施するための最良の形態】
【０００７】
以下、本発明の実施の形態を図面を参照して説明する。
図１〜図１０において、１は、主として足２をマッサージするのに適したマッサージ機であり、このマッサージ機１は、足２を左右両側から抱持（挟圧）して揉むマッサージ手段３と、このマッサージ手段３を駆動する駆動装置４と、振動して足２をマッサージする振動板５と、この振動板５を振動させる振動発生装置６と、駆動装置４及び振動発生装置６等を収納するケーシング７と、スタンド部材８とを備えて構成されている。
ケーシング７は、平面視左右方向に長い矩形状に形成されており、上方開放状の下部ケーシング９と、この下部ケーシング９に被せられて該下部ケーシング９に取付固定された上部ケーシング１０とから内部に収容空間を有する中空状に主構成されている。
【０００８】
下部ケーシング９の底壁部１１には、下方に向けて凹設状とされた収容凹部１２が形成されており、この収容凹部１２は、下部ケーシング９の左右方向及び前後方向の中央部から前後左右に延びる十字形状に形成されている。
また、下部ケーシング９の四隅部下面側には、下方突出状に設けられた脚部１３を備えており、この各脚部１３の下部には、ゴム等の弾性体からなる防振部材１４が設けられている。
上部ケーシング１０の左右両側には、上方に突出する突出部１５が前後方向に形成され、この突出部１５間には、矩形状の開口部１６が形成されている。
【０００９】
振動板５は、平面視矩形状に形成されており、上部ケーシング１０の左右突出部１５間に、前記開口部１６を覆うように配置されている。
この振動板５の下面側の四隅の各隅部近傍には取付部１７が設けられ、この各取付部１７には、ゴム等の弾性体からなる円柱状の弾性支持部材１８が取付固定されている。
また、下部ケーシング９の底壁部１１上面側には、振動板５の各取付部１７に対応する位置に取付台１９が設けられ、この各取付台１９に前記弾性支持部材１８の下部が取り付けられており、これによって、振動板５が下部ケーシング９に、横方向（前後左右及びそれらの間の方向、水平方向）移動自在となるように弾性的に支持されている。
【００１０】
また、下部ケーシング９前部の左右方向中央部のやや右寄りには支持台２０が設けられ、この支持台２０にゴム等の弾性体からなる円柱状の弾性支持部材２１が上方突出状に設けられ、この弾性支持部材２１の上端側には、取付部材２２を介してベアリング（嵌合部材）２３が取り付けられ、このベアリング２３は、振動板５の下面側に設けられた下方開放状の円筒部（被嵌合部）２４に下方側から内嵌されていて、該弾性支持部材２１によっても、振動板５が下部ケーシング９に横方向移動自在となるように弾性的に支持されている。
【００１１】
振動板５の上面側には、足２を載せる足載せ部２５が左右一対設けられ、この足載せ部２５の上面側には、足２の裏に接当して該足２の裏を刺激する突部２６が複数設けられている。
また、足載せ部２５にはヒータ（図示省略）が内蔵されており、足載せ部２５を適度な温度に温めることができるようになっている。
左右各足載せ部２５の左右両側には、振動板５を上下方向（厚さ方向）に貫通する挿通孔２７が形成されている。
【００１２】
振動発生装置６は、ケーシング７内の左右方向中央部の後部側（収容凹部１２の左右方向中央部後部側）に配置されており、電動モータ（動力源）２８と、円板状の回転体２９と、ベアリング（嵌合部材）３０とを有する。
電動モータ２８は、その出力軸３１が上方を向くように収容凹部１２の底部等に固定され、回転体２９の中心がこの電動モータ２８の出力軸３１に取付固定されている。
また、回転体２９の上面側には、支軸３２が電動モータ２８の出力軸３１の軸心（回転軸心）から位置ズレ（偏心）した位置に上方突出状に固定され、この支軸３２の上部にベアリング３０が取り付けられている。
【００１３】
また、振動板５には、前記ベアリング３０に対応する位置に、下方開放状の円筒部（被嵌合部）３３が設けられ、この円筒部３３に前記ベアリング３０が下方側から内嵌されている。
前記振動板５及び振動発生装置６によって足２の裏を刺激するバイブレータが構成されており、このバイブレータにあっては、電動モータ２８の出力軸３１が上下方向の軸心廻りに回転駆動されると、回転体２９が出力軸３１の軸心廻りに回転すると共に、支軸３２及びベアリング３０が出力軸３１の軸心廻りに偏心回転運動をし、該偏心回転運動が円筒部３３を介して振動板５に伝動されて（円筒部３３を介して振動板５がベアリング３０と共に連れ動き）、振動板５が上下軸廻りに偏心回転運動をするように横方向で振動し、振動板５の足載せ部２５の突部２６によって、足２の裏が適度に刺激されてマッサージされるようになっている。
【００１４】
このとき、足載せ部２５内のヒータに通電することにより、足載せ部２５を温めるようにしてもよい。
マッサージ手段３は、左右の足２に対応して左右一対設けられ、左右の各マッサージ手段３は、足２を左右両側から押圧してマッサージする左右一対のマッサージ部材３４で構成されており、各マッサージ手段３のマッサージ部材３４は、足載せ部２５の左右両側に位置していて、左右方向で対向配置されている。
左右各マッサージ部材３４は、左右方向内方側（左右方向対向側）の押圧部材３６と、左右方向外方側（左右方向反対向側）の支持部材３７とから構成されている。
【００１５】
押圧部材３６は、ゴム等の弾性体によって中実状に形成されていて足２の側部に接当する。
支持部材３７は、合成樹脂製で板状に形成されていて可撓性を有し（弾性変形可能とされ）、押圧部材３６を支持（バックアップ）する。
したがって、支持部材３７によって押圧部材３６が左右方向外側に過度に弾性変形するのが抑制され、適度な反力が付与されるようになっており、また、マッサージ部材３４は全体としても可撓性を有する（弾性変形可能とされている）。
【００１６】
押圧部材３６は、足２の側部の踝から前側を押圧する前側押圧部３８と、足２の側部の踝から後側を押圧する後側押圧部３９とを備えており、これら前側押圧部３８と後側押圧部３９とは、踝の下側で接続部４０によって接続されている。
また、支持部材３７も側面視で押圧部材３６と略同様の形状に形成されており、前側押圧部３８をバックアップする部位４２と、後側押圧部３９をバックアップする部位４３と、接続部４０をバックアップする部位４４とを備えている。
したがって、マッサージ部材３４の前側押圧部３８と後側押圧部３９との間には、押圧部材３６が踝に接当しないように、上方及び左右開放状の切欠部（空間部）４５が設けられており、マッサージ部材３４は、押圧部材３６の接続部４０の部分で上下幅が幅狭となっていて比較的撓みやすく（弾性変形しやすく）なっている。
【００１７】
左右各マッサージ部材３４の押圧部材３６の前側押圧部３８の上部側には、左右方向対向側に膨出する前後の膨出部４６，４７が一体形成されており、前側の膨出部４６は足２の側部の指の付け根付近を押圧し、後側の膨出部４７は足２の側部の甲の後側対応部分を押圧する。
また、左右各マッサージ部材３４の押圧部材３６の後側押圧部３９には、左右方向対向側に膨出する上下の膨出部４８，４９が一体形成されており、上側の膨出部４８は足２の側部の踝の後方側上部を押圧し、下側の膨出部４９は足２の側部の踝の後方側下部を押圧する。
【００１８】
また、支持部材３７の前側押圧部３８をバックアップする部位４２には、左右方向反対向側の面から対向側に向けて凹設された被取付部５０が設けられている。
なお、マッサージ部材３４は、布等の被覆部材５１でカバーされている。
マッサージ手段３を駆動する駆動装置４は、駆動軸５３と、この駆動軸５３を回転駆動する駆動モータ５４と、駆動モータ５４の駆動力を駆動軸５３に伝動する動力伝動機構５５と、マッサージ部材３４を支持する支持機構５６とを備えている。
駆動軸５３は、収容凹部１２内の前後方向中央部に左右方向に配置されており、軸受体５７によって左右方向の軸心廻りに回転自在に支持されており、この軸受体５７は、下部ケーシング９に取り付けられたケース５８内に、駆動軸５３に外嵌されたベアリング５９を備えており、駆動軸５３の左右両端部と、駆動軸５３の左右方向中央側に一対配置されている。
【００１９】
駆動モータ５４は、収容凹部１２の左右方向中央部の前部側に後方に向かうに従って上方に移行する傾斜状に配置されていて、後上方に突出する出力軸６０を有し、下部ケーシング９に取付固定されている。
動力伝動機構５５は、ウォームホイール６１とウォーム６２とからなるウォーム歯車機構からなり、ウォームホイール６１は、駆動軸５３の軸心方向中央部に外嵌固定されて駆動軸５３と一体回転し、ウォーム６２は駆動モータ５４の出力軸６０に固定されて該出力軸８０と一体回転すると共にウォームホイール６１の上部側に噛合している。
【００２０】
支持機構５６は、各マッサージ部材３４に対して設けられており、駆動軸５３に外嵌されて該駆動軸５３と一体回転する回転体６３と、この回転体６３に取り付けられた揺動体６４と、この揺動体６４に取り付けられた支持アーム６５と、揺動体６４の回転体６３との連れ回りを規制する規制手段６６とを備えている。
回転体６３には駆動軸５３の軸心に対して傾斜状に交叉する軸心を中心とする外面円柱状の嵌合部６７を有しており、この嵌合部６７に外嵌するベアリング（被嵌合部）６８が揺動体６４に設けられていて、このベアリング６８を嵌合部６７に嵌合することにより、回転体６３に揺動体６４が嵌合部６７の軸心回りに相対回転自在に支持されている。
【００２１】
また、左右のマッサージ部材３４を支持する左右の支持機構５６の左右の嵌合部６７の軸心は、駆動軸５３の軸心に対して互いに逆向きに傾斜している。
規制手段６６は、揺動体６４の下部に下方突出状に設けられた係合部材７０と、収容凹部１２の底部に取付固定された被係合部材７１とを有する。
係合部材７０はロッド状に形成され、被係合部材７１には、係合部材７０が、左右移動可能で前後移動不能に挿通される係合溝７２が形成されており、係合部材７０が係合溝７２に挿通されることにより、揺動体６４が回転体６３と連れ回りするのが規制されると共に、揺動体６４の揺動に伴う係合部材７０の左右方向の動きは許容されるようになっている。
【００２２】
支持アーム６５は、その下部が揺動体６４の上部側に取付固定されていると共に、振動板５の挿通孔２７を挿通して、ケーシング７内から外部に突出されており、その上部がマッサージ部材３４の支持部材３７の被取付部５０に取付固定されている。
また、この支持アーム６５は、合成樹脂製の厚板材によって形成されていて可撓性を有し、マッサージ部材３４の左右方向反対向側に、弾性的に若干曲げ変形可能とされている。
７４は、支持アーム６５のマッサージ部材３４に対する取付部分を覆うカバー体である。
【００２３】
前記構成の駆動装置４にあっては、駆動軸５３を回転させて回転体６３を揺動体６４に対して相対回転させると、嵌合部６７とベアリング７８との嵌合部分で、駆動軸５３の回転が揺動体６４の揺動運動に変換され、揺動体６４の上下部が左右方向に揺動して、マッサージ手段３の左右マッサージ部材３４が左右方向に近接離反運動すると共に、揺動体６４の前後部が左右方向に揺動して、マッサージ手段３の左右マッサージ部材３４の前後一端側が近接すると他端側が離反するように、左右のマッサージ部材３４がうねり運動をする。
【００２４】
また、マッサージ手段３の左右マッサージ部材３４を支持する支持機構５６の揺動体６４間には、圧縮コイルバネからなる付勢部材７３が圧縮状に介在されており、この付勢部材７３により左右の回転体６３が対向方向外方に向けて付勢されている。
この付勢部材７３の付勢力によって、回転体６３を駆動軸５３に対して位置決めする部材に該回転体６３を押し付けることで、振動板５を振動させたときのガタ付きによる騒音を防止することができる。
前記構成のマッサージ機１にあっては、初期状態においては（停止状態においては）、揺動体６４は上方に向かうに従って左右方向反対向方向に移行する傾斜状とされていて、左右のマッサージ部材３４間の間隔は開いており、各マッサージ手段３の左右マッサージ部材３４間に上方から足２が挿入容易とされている。
【００２５】
この状態で、駆動モータ５４を作動させて駆動軸５３及び回転体６３を回転させると、左右のマッサージ部材３４は、先ず後部側が近接した後に前部側が近接するようにうねり運動をすると共に、全体的にみて左右のマッサージ部材３４が近接した後に離反方向に移動して元の位置に戻る近接離反運動をし、これらの複合運動を繰り返し行うことにより、左右のマッサージ部材３４によって足２を左右両側から抱持して挟圧すると共に該挟圧を解除する動作が繰り返し行われて、足２が良好にマッサージされる（揉まれる）。
また、このとき、マッサージ部材３４の押圧部材３６の後側押圧部３９は、足２を挟圧する際に、マッサージ部材３４の接続部４０対応部分が撓むことにより、左右方向外方に逃げ得る構成とされているので、後側押圧部３９による過度の押圧を防止できる。
【００２６】
また、駆動装置４を停止させる場合、駆動装置４は、マッサージ部材３４が初期状態での位置に戻るまで動いて停止するように構成されている。
図６、図７及び図１１に示すように、スタンド部材８は棒材によって形成されており、左右一対のアーム部７５と、この左右アーム部７５の一端側を連結する連結部７６とからコ字形に形成されている。
左右各アーム部７５の他端側は、ケーシング７の左右両側の前後方向中央部に左右方向の軸心廻りに回動自在に支持されていて、図６及び図７に実線で示す収納姿勢と、図６に仮想線で示す使用姿勢とに姿勢変更自在とされている。
【００２７】
スタンド部材８は、本実施の形態では、収納姿勢では水平状態とされ、使用姿勢では収納姿勢から９０°回動した状態とされる。
また、本実施の形態では、下部ケーシング９の収容凹部１２の底部側の左右両側に形成された切欠部７８からケーシング７内に挿入されて左右方向の軸心回りに回動自在に支持された左右の各ボス部７９に、各アーム部７５の他端側が固定されており、これによりスタンド部材８がケーシング７に回動自在に取り付けられている。
また、スタンド部材８の連結部７６には、ゴム等の弾性部材によって円筒状に形成された防振部材８０が外嵌されて取り付けられている。
【００２８】
また、下部ケーシング９内には、スタンド部材８を使用姿勢にしたときに、スタンド部材８を該使用姿勢に保持させるロック機構が設けられていて、ロック機構を解除しないとスタンド部材８を収納姿勢に姿勢変更できないようになっている。
また、スタンド部材８は、回動支持部分の摩擦抵抗によって収納姿勢に保持されるようになっている。
マッサージ機１は、スタンド部材８を使用姿勢とした場合、図１１（ａ）に示すように、後部側の脚部１３を載置面に接当させた傾斜状の姿勢、又は、図１１（ｂ）に示すように、前部側の脚部１３を載置面に接当させた傾斜状の姿勢で使用できるように構成されている。
【００２９】
また、例えば、図１１（ａ）に示す姿勢では、使用者がいす等に座った状態等で、左右マッサージ部材３４間で足２をマッサージでき、また、図１１（ｂ）に示す姿勢では、使用者がいす等に座った状態等で、左右マッサージ部材３４間でふくらはぎをマッサージできる。
なお、前記マッサージ機１は、他の部位をマッサージするのに使用してもよい。
また、前記マッサージ機１にあっては、上部ケーシング１０の左右一方の突出部１５上面に、複数の操作スイッチ８２，８３，８４，８５が前後方向に設けられている。
【００３０】
この操作スイッチ８２，８３，８４，８５は、前側から、停止スイッチ８２、もみスイッチ８３、振動スイッチ８４、温熱スイッチ８５とされており、もみスイッチ８３を押すと駆動装置４が作動してマッサージ手段３が駆動し、振動スイッチ８４を押すと振動発生装置６が作動して振動板５が振動し、温熱スイッチ８５を押すと足載せ部２５内のヒータに通電されて足載せ部２５が温められ、停止スイッチ８２を押すと作動している駆動装置４、振動発生装置６が停止すると共に足載せ部２５内のヒータへの通電が遮断される。
また、前記駆動モータ５４の回転速度は「速」・「遅」の２段に切り換え自在とされ、もみスイッチ８３を一回押す毎に、駆動装置４が、「速」→「遅」→「自動」→「停止」と順に切り換えられるようになっている。
【００３１】
なお、もみスイッチ８３を「自動」にした場合は、駆動装置４が一定時間で「速」・「遅」に自動で切り換えられる。
また、振動発生装置６の電動モータ２８の回転速度も、「速」・「遅」の２段に切り換え自在とされ、振動スイッチ８４を一回押す毎に、振動発生装置６が、「速」→「遅」→「自動」→「停止」と順に切り換えられるようになっている。
なお、「自動」は、前記もみスイッチ８３と同様である。
温熱スイッチ８５は、一回押す毎に、足載せ部２５内のヒータがオンとオフとに切り換えられる。
【００３２】
また、停止スイッチ８２の前側には、電源の入り・切りを表示する表示部８６が設けられ、もみスイッチ８３及び振動スイッチ８４の前側には、駆動装置４、振動発生装置６が「速」、「遅」又は「自動」であるかを表示する表示部８７，８８が設けられ、温熱スイッチ８５の前側には、足載せ部２５内のヒータがオン状態かオフ状態かを表示する表示部８９が設けられている。
なお、ケーシング７の下面側には、電源を入り・切りするための電源スイッチが設けられている。
【図面の簡単な説明】
【００３３】
【図１】押圧部材の内側の側面図である。
【図２】マッサージ機の全体斜視図である。
【図３】マッサージ機の平面図である。
【図４】マッサージ機の正面図である。
【図５】マッサージ機の背面図である。
【図６】マッサージ機の側面図である。
【図７】マッサージ機の底面図である。
【図８】マッサージ手段及びマッサージ手段を駆動する駆動装置の正面一部断面図である。
【図９】マッサージ機の側面断面図である。
【図１０】マッサージ部材及びその支持機構の概略構成図である。
【図１１】マッサージ機の使用状態の例を示す側面図である。
【符号の説明】
【００３４】
２    足
４    駆動装置
３４    マッサージ部材
３８    前側押圧部
３９    後側押圧部
４６    前側の膨出部
４７    後側の膨出部
４８    上側の膨出部
４９    下側の膨出部
【図１】
2005074163.tif 000003
【図２】
2005074163.tif 000004
【図３】
2005074163.tif 000005
【図４】
2005074163.tif 000006
【図５】
2005074163.tif 000007
【図６】
2005074163.tif 000008
【図７】
2005074163.tif 000009
【図８】
2005074163.tif 000010
【図９】
2005074163.tif 000011
【図１０】
2005074163.tif 000012
【図１１】
2005074163.tif 000013